(57)【要約】    【課題】      無線ＬＡＮエリア内に居る場合に、ユーザが携帯電話機能のみをオフ操作することができる機構を備えた無線通信端末装置及び無線通信機能制御方法を提供すること。    【解決手段】  無線デュアル端末１００は、携帯電話システムの携帯電話基地局１０１を介した通信機能（携帯電話機能）と無線ＬＡＮシステムの無線ＬＡＮ基地局１０２を介した通信機能（無線ＬＡＮ機能）とを併せ持つ無線通信端末装置である。無線デュアル端末１００が、無線ＬＡＮエリア１０４内に入った場合に、表示画面に携帯電話機能をオフするか否かを問い合わせるメッセージを表示し、ユーザの肯定意思を確認して携帯電話機能のみをオフにし、無線ＬＡＮエリア１０４内に居る場合の消費電力を低減する。なお、無線デュアル端末１００が、無線ＬＡＮエリア１０４の外に出た場合は、オフにしていた携帯電話機能を自動的にオンにする。  【選択図】      図１
2005295532.tif 000002
【特許請求の範囲】
【請求項１】
携帯電話システムを介して通信を行う携帯電話機能と無線ＬＡＮシステムを介して通信を行う無線ＬＡＮ機能とを併せ持つ無線通信端末装置において、
自端末が無線ＬＡＮエリア内に入ったか否かを判断する判断手段と、
前記判断手段により無線ＬＡＮエリア内に入ったと判断された場合に、前記携帯電話機能をオフするか否かを問い合わせるメッセージを表示する表示手段と、
前記問い合わせ表示に応じたボタン操作に応答して携帯電話機能をオフもしくはスリープにする制御手段と、を具備することを特徴とする無線通信端末装置。
【請求項２】
前記制御手段は、前記問い合わせ表示後の前記ボタンの操作に応答して前記携帯電話機能をオフにすることを特徴とする請求項１記載の無線通信端末装置。
【請求項３】
前記携帯電話機能をオフした際に、前記判断手段により無線ＬＡＮエリアから出たと判断された場合、もしくは電波受信強度が劣化したと判断された場合に、前記制御手段は携帯電話機能を自動的にオンにすることを特徴とする請求項１記載の無線通信端末装置。
【請求項４】
携帯電話システムを介して通信を行う携帯電話機能と無線ＬＡＮシステムを介して通信を行う無線ＬＡＮ機能とを併せ持つ無線通信端末装置における無線通信機能制御方法において、
無線ＬＡＮエリア内に入った場合に、表示画面に携帯電話機能をオフするか否かを問い合わせるメッセージを表示し、該問い合わせ表示に応じた指示に応答して携帯電話機能をオフもしくはスリープにすることを特徴とする無線通信機能制御方法。
【請求項５】
無線ＬＡＮエリアから出た場合は、オフもしくはスリープにしていた携帯電話機能をオンにすることを特徴とする請求項４記載の無線通信機能制御方法。
【発明の詳細な説明】
【技術分野】
【０００１】
本発明は、携帯電話システムを介した通信機能と無線ＬＡＮシステムを介した通信機能とを併せ持つ無線通信端末装置及び無線通信機能制御方法に関する。
【背景技術】
【０００２】
携帯電話機では、電池寿命の長寿命化を図るため、種々の消費電力低減策が講じられている。即ち、例えば、特許文献１では、携帯電話機が圏外に居る期間が所定時間続いたときに、圏外表示を続けるか否か、電源オフ後、所定時間後に自動起動するか否かの問い合わせメッセージを表示し、ユーザの選択に従って電源オフ制御を行うことで、消費電力を低減する処理にユーザが関与できるようにした移動電話機が開示されている。
【０００３】
ところで、近年では、ブロードバンド化に伴い、携帯電話システムを介した通信機能（以降「携帯電話機能」という）に加えて広帯域の無線ＬＡＮシステムを介した通信機能（以降「無線ＬＡＮ機能」という）を搭載した無線デュアル端末が開発され、需要拡大が期待されているが、この無線デュアル端末においても消費電力低減策を講じる必要がある。
【特許文献１】特開２００２−２０８８８７号公報
【発明の開示】
【発明が解決しようとする課題】
【０００４】
しかしながら、無線デュアル端末では、携帯電話エリアの圏内に居る場合でも無線ＬＡＮエリア内に入った場合は無線ＬＡＮ機能が利用できるので、携帯電話機能は不要となる場合がある。一般的に、無線ＬＡＮの通信帯域は、携帯電話の通信帯域よりも大きく、ユーザが、スポット的に配置される無線ＬＡＮエリアに居る場合には、無線ＬＡＮ機能を優先することが多い。したがって、無線デュアル端末において消費電力の低減を図るためには、無線ＬＡＮエリア内での携帯電話機能のみをオフすることができ、無線ＬＡＮエリア外では、オフした携帯電話機能を自動的にオンする機構が必要である。
【０００５】
本発明の目的は、無線ＬＡＮエリア内に居る場合に、ユーザが携帯電話機能のみをオフ操作することができ、無線ＬＡＮエリアから出た場合には、オフした携帯電話機能を自動的にオンする機構を備えた無線通信端末装置及び無線通信機能制御方法を提供することである。
【課題を解決するための手段】
【０００６】
本発明の無線通信端末装置は、携帯電話システムを介して通信を行う携帯電話機能と無線ＬＡＮシステムを介して通信を行う無線ＬＡＮ機能とを併せ持つ無線通信端末装置において、自端末が無線ＬＡＮエリア内に入ったか否かを判断する判断手段と、前記判断手段により無線ＬＡＮエリア内に入ったと判断された場合に、前記携帯電話機能をオフするか否かを問い合わせるメッセージを表示する表示手段と、前記問い合わせ表示に応じたボタン操作に応答して携帯電話機能をオフもしくはスリープにする制御手段と、を具備する構成を採る。
【０００７】
この構成によれば、無線ＬＡＮエリア内に居る場合に、携帯電話機能のみをオフもしくはスリープにすることができ、消費電力の低減を図ることができる。
【０００８】
本発明の無線通信端末装置は、請求項１記載の無線通信端末装置において、前記制御手段は、前記問い合わせ表示後の前記ボタンの操作に応答して前記携帯電話機能をオフにする構成を採る。
【０００９】
この構成によれば、無線ＬＡＮエリア内に居る場合に、任意の操作ボタンを携帯電話機能のみをオフにする指示ボタンとして利用することができる。
【００１０】
本発明の無線通信端末装置は、請求項１記載の無線通信端末装置において、前記携帯電話機能をオフした際に、前記判断手段が無線ＬＡＮエリアから出たと判断した場合、もしくは電波受信強度が劣化したと判断した場合に、前記制御手段により携帯電話機能を自動的にオンにする構成を採る。
【００１１】
この構成によれば、無線ＬＡＮエリアの外に出たときは携帯電話機能を利用することできるので、支障無く通信機能を維持することができる。
【００１２】
本発明の無線通信機能制御方法は、携帯電話システムを介して通信を行う携帯電話機能と無線ＬＡＮシステムを介して通信を行う無線ＬＡＮ機能とを併せ持つ無線通信端末装置における無線通信機能制御方法において、無線ＬＡＮエリア内に入った場合に、表示画面に携帯電話機能をオフするか否かを問い合わせるメッセージを表示し、該問い合わせ表示に応じた指示に応答して携帯電話機能をオフもしくはスリープにするようにした。
【００１３】
この方法によれば、無線ＬＡＮエリア内に居る場合に、携帯電話機能のみをオフもしくはスリープにすることができ、消費電力の低減を図ることができる。
【００１４】
本発明の無線通信機能制御方法は、請求項４記載の無線通信機能制御方法において、無線ＬＡＮエリアから出た場合は、オフもしくはスリープにしていた携帯電話機能を自動的にオンにするようにした。
【００１５】
この方法によれば、無線ＬＡＮエリアの外に出たとき、もしくは電波受信強度が劣化したときは携帯電話機能を利用することできるので、支障無く通信機能を維持することができる。
【発明の効果】
【００１６】
本発明によれば、ユーザが携帯電話機能のみをオフ操作することができる機構を設けたので、無線ＬＡＮエリア内に居る場合に消費電力を低減することができる。また、無線ＬＡＮエリアから出た場合には、オフした携帯電話機能を自動的にオンするため、無線ＬＡＮエリア外でも携帯電話機能による通話ができる。
【発明を実施するための最良の形態】
【００１７】
以下、本発明の実施の形態について図面を参照して詳細に説明する。
【００１８】
図１は、本発明の一実施の形態に係る無線通信端末装置が適用される通信システムの構成例を示すシステム図である。図１に示すように、本発明の無線デュアル端末１００は、携帯電話システムの携帯電話基地局１０１を介した通信機能（携帯電話機能）と無線ＬＡＮシステムの無線ＬＡＮ基地局１０２を介した通信機能（無線ＬＡＮ機能）とを併せ持つ無線通信端末装置である。
【００１９】
図１では、携帯電話エリア１０３のみに居る無線デュアル端末１００が無線ＬＡＮエリア１０４内に入る場合が示されている。この無線デュアル端末１００は、具体的には、例えば図２及び図３に示すように構成されている。
【００２０】
図２は、図１に示す無線デュアル端末１００の内部構成を示すブロック図である。図１に示す無線デュアル端末１００は、例えば図２に示すように、携帯電話通信部２０７を制御するコミュニケーションＣＰＵ２００と、このコミュニケーションＣＰＵ２００に接続される、各種の演算やデータの格納等に用いられるＲＡＭ２０２と、各種のプログラムが格納されるＲＯＭ２０３と、各種の表示を行う表示部２０５と、操作部に設けられる各種操作ボタンの制御を行うボタン制御部２０６と、専用の半導体集積回路で構成される制御部２０４と、携帯電話による通信を実現する携帯電話通信部２０７と、無線ＬＡＮ通信部２０８を制御するアプリケーションＣＰＵ２０９と、を備えている。さらに、アプリケーションＣＰＵ２０９に接続される、無線ＬＡＮによる通信を実現する無線ＬＡＮ通信部２０８と、各種の演算やデータの格納等に用いられるＲＡＭ２１０と、各種のアプリケーションプログラムが格納されるＲＯＭ２１１とを備えている。なお、コミュニケーションＣＰＵ２００と、制御部２０４と、アプリケーションＣＰＵ２０９とは、バス２０１を介して接続されている。なお、コミュニケーションＣＰＵ２００とアプリケーションＣＰＵ２０９は、一つにまとめてもよい。
【００２１】
図３は、図１に示す無線デュアル端末１００の外観構成例及びユーザに携帯電話機能のオフ操作を促す問い合わせメッセージの表示例を示す図である。図３において、無線デュアル端末１００の操作部には、表示画面３０１と電源ボタン３０２や選択ボタン３０３を含む各種の操作ボタン３０４とが配置されている。
【００２２】
表示画面３０１には、各種の表示が行われるが、この実施の形態では、当該無線デュアル端末１００が無線ＬＡＮエリア１０４内に入った場合に、「携帯電話機能をＯＦＦしますか？」の問い合わせメッセージと、肯定意思を確認する「ＹＥＳ」ボタンと、否定意思を確認する「ＮＯ」ボタンとを表示するようになっている。これに対してユーザは、肯定意思を示すときは選択ボタン３０３を操作して「ＹＥＳ」ボタンを選択し、否定意思を示すときは選択ボタン３０３を操作して「ＮＯ」ボタンを選択する。そして、ユーザが肯定意思を示した後に各種の操作ボタン３０４内の任意の一つを操作すると、携帯電話機能のみがオフになるようになっている。
【００２３】
アプリケーションＣＰＵ２０９は、無線デュアル端末１００が無線ＬＡＮエリア１０４内に入った場合、「携帯電話機能をＯＦＦしますか？」の問い合わせメッセージの出力指示とボタン制御指示を出す。ユーザが肯定の意思表示を行った場合、制御部２０４はコミュニケーションＣＰＵ２００に対しその旨を通知し、携帯電話機能のみがオフされる。
【００２４】
次に、図１〜図３を参照しつつ図４に沿って、以上のように構成される無線デュアル端末１００の本実施の形態に関わる無線通信機能制御動作について説明する。なお、図４は、図１に示す無線デュアル端末１００の無線通信機能制御動作を説明するフローチャートである。
【００２５】
図４において、無線デュアル端末１００が携帯電話エリア１０３の外に居るときは、通常の携帯電話機と同様に、ユーザの意思を確認して所定時間内電源をオフ状態にすることを繰り返す消費電力低減モードになっている。その過程で、携帯電話通信部２０７は、短時間内の電源オン時にチャネルスキャンを行って無線デュアル端末１００が携帯電話エリア１０３内に入ったか否かが判断される（ステップＳＴ４００）。
【００２６】
無線デュアル端末１００が携帯電話エリア１０３内に入った場合には（ステップＳＴ４００：ＹＥＳ）、携帯電話機能の使用が可能となるが、無線ＬＡＮ通信部２０８から入力される無線ＬＡＮの電波の受信感度などから無線ＬＡＮエリア１０４内に入ったか否かが判断される（ステップＳＴ４０１）。
【００２７】
無線ＬＡＮエリア１０４内に入った場合には（ステップＳＴ４０１：ＹＥＳ）、図３に例示したように、アプリケーションＣＰＵ２０９は、制御部２０４に対し、表示指示とボタン制御指示を出す。表示部２０５は、表示画面３０１に「携帯電話機能をＯＦＦしますか？」の問い合わせメッセージと、「ＹＥＳ」ボタンと、「ＮＯ」ボタンと、「決定」ボタン（図示せず）を表示し（ステップＳＴ４０２）、ユーザの意思を確認する（ステップＳＴ４０３）。制御部２０４は、各ボタンの位置を決定し、これに応じて表示部２０５は各ボタンの位置を表示する。
【００２８】
ユーザが携帯電話機能（携帯電話通信部２０７）をオフにすることを選択しない場合は（ステップＳＴ４０３：ＮＯ）、制御部２０４は、コミュニケーションＣＰＵ２００に対して無線ＬＡＮエリア１０４内に入った場合でも携帯電話機能（携帯電話通信部２０７）をそのままオン状態に維持させることを通知する（ステップＳＴ４０４）。これに対し、ユーザが携帯電話機能（携帯電話通信部２０７）をオフにすることを選択した場合は（ステップＳＴ４０３：ＹＥＳ）、制御部２０４は、ユーザのボタン操作を確認すると、携帯電話ＯＦＦを示すフラグを成立させ、コミュニケーションＣＰＵ２００に対して携帯電話機能（携帯電話通信部２０７）をオフさせるように通知する（ステップＳＴ４０５）。この時、コミュニケーションＣＰＵ２００は、制御部２０４で成立したフラグに応じて、携帯電話通信部２０７をＯＦＦ（もしくは、スリープ）する動作に入る。
【００２９】
このように無線ＬＡＮ機能（無線ＬＡＮ通信部２０８）のみがオン状態となった無線デュアル端末１００では、無線ＬＡＮ通信部２０８が無線ＬＡＮの電波受信感度を監視し、当該無線デュアル端末１００が無線ＬＡＮエリア１０４内に継続して止まっているか否かを判断する（ステップＳＴ４０６）。無線デュアル端末１００が無線ＬＡＮエリア１０４外に出た場合、もしくは電波受信強度が劣化した場合には（ステップＳＴ４０６：ＹＥＳ）、アプリケーションＣＰＵ２０９は制御部２０４のフラグを確認し、携帯電話通信部２０７がＯＦＦされていた場合には、制御部２０４のフラグを変更し、コミュニケーションＣＰＵ２００に携帯電話機能（携帯電話通信部２０７）をオンにする指示を与える（ステップＳＴ４０７）。
【００３０】
なお、無線デュアル端末１００が携帯電話エリア１０３内に入った場合に（ステップＳＴ４００：ＹＥＳ）無線ＬＡＮエリア１０４内に入るまで（ステップＳＴ４０１：ＮＯ）の期間と、携帯電話機能がオフである状態で無線デュアル端末１００が無線ＬＡＮエリア１０４外に出た場合（ステップＳＴ４０６：ＹＥＳ）とでは、ユーザに無線ＬＡＮ機能（無線ＬＡＮ通信部２０８）をオフにするか否かの問い合わせを行ってユーザの意思を確認し、ユーザのボタン操作に応答して無線ＬＡＮ機能（無線ＬＡＮ通信部２０８）をオフにするようにしてもよい。
【００３１】
以上のように、携帯電話エリアの圏外に居る場合にのみユーザの関与による電源オフ処理を行うだけでなく、携帯電話エリアの圏内に居る場合でも無線ＬＡＮエリア内に入った場合にはユーザに携帯電話機能のオフ操作を促して携帯電話機能のみをオフにすることができるので、無線ＬＡＮエリア内に居る場合でも消費電力の低減を図ることができる。また、無線ＬＡＮエリアから出た場合には、オフした携帯電話機能を自動的にオンするため、無線ＬＡＮエリア外では携帯電話による通信ができる。
【産業上の利用可能性】
【００３２】
本発明は、携帯電話システムを介した通信機能（携帯電話機能）と無線ＬＡＮシステムを介した通信機能（無線ＬＡＮ機能）とを併せ持つ無線通信端末装置の消費電力を低減するのに好適である。
【図面の簡単な説明】
【００３３】
【図１】本発明の一実施の形態に係る無線デュアル端末が適用される通信システムの構成例を示すシステム図
【図２】本実施の形態に係る図１に示す無線デュアル端末の内部構成を示すブロック図
【図３】本実施の形態に係る図１に示す無線デュアル端末の外観構成例及びユーザに携帯電話機能のオフ操作を促す問い合わせメッセージの表示例を示す図
【図４】本実施の形態に係る図１に示す無線デュアル端末の無線通信機能制御動作を説明するフローチャート
【符号の説明】
【００３４】
１００  無線デュアル端末
１０１  携帯電話基地局
１０２  無線ＬＡＮ基地局
１０３  携帯電話エリア
１０４  無線ＬＡＮエリア
２００  コミュニケーションＣＰＵ
２０１  バス
２０２、２１０  ＲＡＭ
２０３、２１１  ＲＯＭ
２０４  制御部
２０５  表示部
２０６  ボタン制御部
２０７  携帯電話通信部
２０８  無線ＬＡＮ通信部
２０９  アプリケーションＣＰＵ
３０１  表示画面
３０２  電源ボタン
３０３  選択ボタン
３０４  各種の操作ボタン
【図１】
2005295532.tif 000003
【図２】
2005295532.tif 000004
【図３】
2005295532.tif 000005
【図４】
2005295532.tif 000006